(57)【要約】   【課題】屋根から軒樋に流れ込んだ雨水が跳ね返って飛散しても鼻板を濡らすこともなく装着が容易な水切り部材を備える軒樋吊具を提供する。  【解決手段】軒樋吊具２０は固定部材２１と吊具本体２２とで形成される。吊具本体２２は前部２３と中央部２４と後部２５が連続形成されて成り、後部２５の上面２５ａは固定部材２１に亘って傾斜角αで上方傾斜する。上面２５ａに一対の水切り板２７を保持する保持具２６が設けられその上端部２６ａに突起２６ｃを備え、下端部２６ｂは一部分水平状に形成されて長穴２８が設けられる。保持具２６で一対の水切り板２７の端部２７ａの穴２７ｂ位置に突起２６ｃに挿入して水切り板２７を挟んだ状態で、保持具２６の下端部２６ｂがボルト等の固着具４２でワッシャー４３を用いて中央部２４の上板２４ａの上面Ｇに固着される。水切り板２７の支持片２９が吊具本体２２から突出するように固着される。【選択図】  図２
2009102935.tif 000002
【特許請求の範囲】
【請求項１】
軒先の鼻板に固定される固定部材とこの固定部材に連結して軒樋を吊下げる吊具本体とで形成される軒樋吊具であって、
前記吊具本体は前部と中央部と後部が連続形成されて成り、前記後部の上面が前記固定部材に亘って上方傾斜して形成され、
鼻板に雨水が浸入するのを防ぐ長尺平板状の水切り板を保持する板状の保持具が、前記後部の上面と略平行に上端部を自由端として下端部が吊具本体の上面に固着され、
前記水切り板は長手方向の両端部に沿って上下位置調整用の穴を等間隔に複数備え、一対の前記水切り板の各端部を前記穴の位置を合わせて重ねた状態で前記保持具と前記後部の上面との隙間に挿入して、一対の前記水切り板の所望の重なった穴に係合して固着する突起を前記保持具の上端部に備えることを特徴とする軒樋吊具。
【請求項２】
請求項１に記載の軒樋吊具であって、前記保持具の下端部に長穴が形成され、前記保持具はこの長穴を介して吊具本体の上面にボルト等の固着具で固着されることを特徴とする軒樋吊具。
【請求項３】
請求項１又は請求項２に記載の軒樋吊具であって、前記保持具は弾性材であることを特徴とする軒樋吊具。
【請求項４】
請求項１乃至請求項３のいずれか１項に記載の軒樋吊具であって、前記保持具で保持された前記一対の水切り板を下方から支持する支持片が前記吊具本体から突出して設けられることを特徴とする軒樋吊具。
【発明の詳細な説明】
【技術分野】
【０００１】
本発明は、建築物の軒先に取付けられる軒樋吊具に関し、詳しくは、軒樋に落下する雨水が跳ね返っても鼻板を濡らすことがない軒樋吊具に関する。
【背景技術】
【０００２】
従来、軒樋に落下する雨水が跳ね返って鼻板を濡らすことにより鼻板が汚れることがあり、見栄えが悪く品質が損なわれるという問題があった。
【０００３】
この問題を解決する方法が特許文献１に開示されている。図５、図６に示すように、特許文献１の軒樋吊具２は、断面凹状の軒樋３を支持する吊具本体１０と鼻板１に吊具本体１０を取付けるための取付け部材１１とから成り、取付け部材１１の一端部が固定部材１２を介して鼻板１に固定される。取付け部材１１の他端部は吊具本体１０との間に備える傾斜面に上下２箇所に突出する一対の係止部８、８が傾斜面を切り起して形成される。
【０００４】
水切り板５はステンレスやアルミ等の金属製の長尺部材で、その長手方向に長く略等間隔で配置した長穴６を水切り板５の短手方向に平行に複数列形成される。そして、軒樋吊具２の傾斜面に突出する係止部８に矢印Ｐで示すように水切り板５の長穴６を挿入して水切り板５を軒樋吊具２の取付け部材１１に取付ける。
【０００５】
水切り板５は取付け部材１１に取付けた係止部８、８の位置より上方二箇所で折り曲げ加工されて水切り板５の先端を軒先４に近づけて取付けられる。このため、雨水が水切り板５と軒先４間の隙間から進入しにくいので軒先４からの雨水を確実に軒樋３に導くことができる。
【特許文献１】特開２００３−３３６３６２号公報
【発明の開示】
【発明が解決しようとする課題】
【０００６】
ところが、軒樋吊具２の上面に突出して形成される係止部８に水切り板５の長穴６を挿入して水切り板５を軒樋吊具２に取付ける方法は、係止部８に長穴６を挿入する作業が簡単でなく手間が掛かるので現場での作業効率が悪いという問題があった。
【０００７】
そこで、本発明はかかる従来技術の問題に鑑みなされたものであって、屋根から軒樋に流れ込んだ雨水が跳ね返って飛散しても鼻板を濡らすこともなく装着が容易な水切り部材を備える軒樋吊具を提供することを目的とする。
【課題を解決するための手段】
【０００８】
請求項１の発明は、軒先の鼻板に固定される固定部材とこの固定部材に連結して軒樋を吊下げる吊具本体とで形成される軒樋吊具であって、前記吊具本体は前部と中央部と後部が連続形成されて成り、前記後部の上面が前記固定部材に亘って上方傾斜して形成される。そして、鼻板に雨水が浸入するのを防ぐ長尺平板状の水切り板を保持する板状の保持具が、前記後部の上面と略平行に上端部を自由端として下端部が吊具本体の上面に固着される。ここで、前記水切り板は長手方向の両端部に沿って上下位置調整用の穴を等間隔に複数備え、一対の前記水切り板の各端部を前記穴の位置を合わせて重ねた状態で前記保持具と前記後部の上面との隙間に挿入して、一対の前記水切り板の所望の重なった穴に係合して固着する突起を前記保持具の上端部に備えること特徴としている。
【０００９】
請求項２の発明は、請求項１に記載の軒樋吊具であって、前記保持具の下端部に長穴が形成され、前記保持具はこの長穴を介して吊具本体の上面にボルト等の固着具で固着されることを特徴としている。
【００１０】
請求項３の発明は、請求項１又は請求項２に記載の軒樋吊具であって、前記保持具は弾性材であることを特徴としている。
【００１１】
請求項４の発明は、請求項１乃至請求項３のいずれか１項に記載の軒樋吊具であって、前記保持具で保持された前記一対の水切り板を下方から支持する支持片が前記吊具本体から突出して設けられることを特徴としている。
【発明の効果】
【００１２】
請求項１の発明によれば、前記吊具本体の前記後部の上面が前記固定部材に亘って上方傾斜して形成され、鼻板に雨水が浸入するのを防ぐ長尺平板状の水切り板を保持する板状の保持具が、前記後部の上面と略平行に上端部を自由端として下端部が吊具本体の上面に固着されるので、水切り板を軒先と鼻板の隅の近傍に亘って取付けることができるので、屋根から軒樋に流れ込んだ雨水が跳ね返って飛散しても鼻板を濡らすことがない。また、水切り板を建物に直接取付けないので、水切り板の取付及び取外し等のメンテナンスが容易にできる。
【００１３】
前記水切り板は長手方向の両端部に沿って上下位置調整用の穴を等間隔に複数備え、一対の前記水切り板の各端部を前記穴の位置を合わせて重ねた状態で前記保持具と前記後部の上面との隙間にスライドして容易に挿入できる。そして、一対の前記水切り板の所望の重なった穴に係合して固着する突起を前記保持具の上端部に備えるので、この突起によって一対の前記水切り板の各端部を確実且つ容易に位置決めすることができるので作業性が向上する。
【００１４】
請求項２の発明によれば、前記保持具の下端部に長穴が形成され、前記保持具はこの長穴を介して吊具本体の上面にボルト等の固着具で固着されるので、前記保持具を水平移動させることにより一対の前記水切り板の各端部を前記後部の上面に押付けて確実且つ容易に固着できる。
【００１５】
請求項３の発明によれば、前記保持具は弾性材であるので、請求項２の発明の効果と同じ効果をさらに確実且つ安定して得ることができる。
【００１６】
請求項４の発明によれば、前記保持具で保持された前記一対の水切り板を下方から支持する支持片が前記吊具本体から突出して設けられるので、一対の前記水切り板の各端部をさらに安定して保持することができる。
【発明を実施するための最良の形態】
【００１７】
[軒樋吊具の構成]  
以下に、本発明の実施形態を図１〜図４に基づいて説明する。
【００１８】
図１、図２、図３、図４に示すように、本発明の軒樋吊具２０は建物の軒先に備える軒樋３０を吊下げる軒樋吊具２０である。軒樋吊具２０は軒先の鼻板４１に固定される固定部材２１とこの固定部材２１に連結して軒樋３０を吊下げる吊具本体２２とで形成される。
【００１９】
吊具本体２２は前部２３と中央部２４と後部２５が幅Ｓで連続形成されて成り、後部２５の上面２５ａは固定部材２１に亘って上方傾斜して形成される。より詳しくは、この上方傾斜は水平に対して傾斜角αで立上った後、固定部材２１に亘ってなだらかに傾斜して形成される。中央部２４は断面矩形形状の上板２４ａと下板２４ｂが垂直な縦板２４ｃと連結する断面Ｈ字形状である。吊具本体２２の前部２３の先端に第一係止部２３ａと固定部材２１に第二係止部２１ａが設けられる。
【００２０】
後部２５の傾斜角αで立上る上面２５ａに沿って幅Ｓの板状の保持具２６が設けられ、この保持具２６は鼻板４１に雨水が浸入するのを防ぐ長尺平板状の一対の水切り板２７を保持するためのものである。保持具２６は上面２５ａと略平行で上端部２６ａが自由端であり、上端部２６ａに突起２６ｃを上面２５ａに向かって備える。
【００２１】
保持具２６の下端部２６ｂは一部分が水平状に形成され、鼻板４１方向に長い長穴２８が位置調整用として設けられる。このため、保持具２６は水平方向Ｓ１に調整代を備えている。そして、一対の水切り板２７の各端部２７ａの穴２７ｂ位置を合わせて重ねた状態で、図２に示すように、保持具２６と後部２５の上面２５ａとの隙間Ｆにスライド挿入して、水切り板２７の所望の重なった穴２７ｂを突起２６ｃに係合する。その後、保持具２６を水平方向Ｓ１に移動して水切り板２７を挟んで押付けた状態で、保持具２６の下端部２６ｂがボルト等の固着具４２でワッシャー４３を用いて中央部２４の上板２４ａの上面Ｇに固着される。
【００２２】
さらに、保持具２６で保持された一対の水切り板２７を下方から支持する支持片２９が吊具本体２２の後部２５から突出するように一端を後部２５に傾斜角αで固着して設けられる。
【００２３】
雨水が鼻板４１に浸入するのを防ぐための一対の水切り板２７には、長手方向の両端部２７ａに沿って上下位置調整用の穴２７ｂを等間隔Ｐ１で複数備える。そして、一対の水切り板２７は各端部２７ａの穴２７ｂの位置を合わせて重ねた状態で用いられる。
【００２４】
ここで、軒樋３０は前壁３１と後壁３２と底壁３３から成る断面凹形状で、前壁３１は底壁３３から軒樋３０の外側に湾曲し、後壁３２は垂直で底壁３３は水平に形成される。後壁３２の上端部に軒樋３０の外部側に突出する後耳としての突起３２ａを備え、前壁３１の上端部に軒樋３０の内部側に突出する前耳としての突起３１ａを備える。
【００２５】
そして、軒樋３０は突起３１ａと突起３２ａを軒樋吊具２０の第一係止部２３ａと第二係止部２１ａとにそれぞれ係止して吊り下げられる。
【００２６】
軒樋３０と屋根４５の位置関係は、屋根４５の延長線上に軒樋３０の前壁３１の上端部が位置し、屋根４５の先端部４５ａの垂直下方に底壁３３の略中央が位置する。
【００２７】
軒樋と水切り板は、ステンレス、アルミ、亜鉛メッキをした金属、あるいは軽量化や耐腐食性を考慮して例えば硬質塩化ビニール樹脂等の合成樹脂材料、或いは、金属板の両面に合成樹脂材料を被覆した材料が用いられる。保持具の材質はステンレスや亜鉛メッキをした金属が用いられるが、保持具の保持力をさらに高めるためにバネ材等の弾性材を使用してもよい。
[軒樋吊具の作用]
【００２８】
雨水が跳ね返って鼻板に濡らすことを防止するために、従来使用されている水切り板を長くすると規格外となりコスト高になるが、簡単な構造の保持具２６を用いることによって水切り板２７を軒樋吊具２０に容易に固着配置できるので汎用性に優れる。また、水切り板は短手方向の幅が任意に決定できて、幅方向（高さ方向）にスライド位置調整できるので容易に最適位置を選んで固着できる。
【００２９】
屋根の取付作業時に水切り板を軒先に同時に取付ける必要がないため屋根の取付作業が容易になる。さらに、屋根の取付と同時に水切り板を取付けておくと、軒樋の取付け時に水切り板の位置や長さが干渉して軒樋の取付けに支障が生じることがあったが、水切り板を屋根に取付けつける必要がないので、鼻板への吊り金具の取付け作業の邪魔にならないため、吊り金具の取付け施工性が向上する。そして、水切り板を建物に直接取付けないので、水切り板の取付及び取外し等のメンテナンスが容易にできる。
【００３０】
以上、本発明の実施例を図面に基づいて説明したが、具体的な構成はこの実施例に限られるものではなく本発明の要旨を逸脱しない範囲の設計変更等があっても本発明に含まれる。
【００３１】
例えば、保持具２６の上端部２６ａの突起２６ｃは水切り板２７の穴２７ｂと等間隔Ｐ１で上下に複数備えてもよい。
【００３２】
軒樋３０の後耳としての突起３２ａは軒樋３０の内部側に突出しても構わない。この場合、突起３２ａは吊具本体２２側に設ける係止部に係止して吊り下げられる。
【図面の簡単な説明】
【００３３】
【図１】本発明の実施形態における、軒先の鼻板４１に取付けられた軒樋３０用の軒樋吊具２０に水切り板２７用の保持具２６が取付けられた状態を示す軒樋吊具２０の一部断面視側面図である。
【図２】本発明の実施形態における、図１のＡ−詳細図である。
【図３】本発明の実施形態における、図１のＢ−Ｂ矢視斜視図である。
【図４】本発明の実施形態における、一対の水切り板２７の長手方向の両端部２７ａに沿って形成された上下位置調整用の穴２７ｂを合わせて重ねた状態を示す斜視図である。
【図５】従来の、軒先の鼻板１に取付けられた軒樋３の軒樋吊具２に備える水切り板５の状態を示す一部断面視側面図である。
【図６】従来の、軒樋吊具２の取付け部材１１の係止部８に長穴６を介して水切り板５を矢印Ｐで示すように取付ける状態を示す斜視図である。
【符号の説明】
【００３４】
２０  軒樋吊具
２１  固定部材
２２  吊具本体
２３  前部
２４  中央部
２４ａ  上板
２５  後部
２５ａ  上面
２６  保持具
２６ａ  上端部
２６ｃ  突起
２６ｂ  下端部
２７  水切り板
２７ａ  端部
２７ｂ  穴
２８  長穴
２９  支持片
４２  固着具
４３  ワッシャー
【図１】
2009102935.tif 000003
【図２】
2009102935.tif 000004
【図３】
2009102935.tif 000005
【図４】
2009102935.tif 000006
【図５】
2009102935.tif 000007
【図６】
2009102935.tif 000008